(57)【要約】　　【課題】　顔写真入りＩＤカードを作成するに当たって、本人の確認を自動化する。　　【解決手段】　予めファイリングされている旧顔画像情報と、新たに撮影された顔画像情報とをＩＤ番号に基づき対応付けて比較することで、申請者が本人であるかどうかの判定を行い、申請者が本人であることが確認されたときに、前記ＩＤカードの作成又は前記ＩＤ番号と前記顔画像情報とを対とするデータの更新ファイリングを行なう。【選択図】　図２
2004142470.tif 000002
【特許請求の範囲】
【請求項１】
　光電的に撮影して得られた被撮影者の顔画像情報と前記被撮影者のＩＤ番号とを対とするデータを作成し、前記被撮影者の本人情報を入力し、
　ＩＤカード作成モードの場合、前記ＩＤ番号で対応付けられる前記顔画像情報と前記本人情報とに基づいてＩＤカードの作成を指示するとともに、前記ＩＤ番号で対応付けられる前記顔画像情報のファイリングを指示し、
　ＩＤカード非作成モードの場合、前記ＩＤ番号で対応付けられる前記顔画像情報のファイリングを指示する画像処理手段を備えたことを特徴とするＩＤカード作成・管理システム。
【請求項２】
　予めファイリングされている旧顔画像情報と、新たに撮影された顔画像情報とを前記ＩＤ番号に基づき対応付けて比較することで、申請者が本人であるかどうかの判定を行い、
　申請者が本人であることが確認されたときに、前記ＩＤカードの作成又は前記ＩＤ番号と前記顔画像情報とを対とするデータの更新ファイリングを行なうことを特徴とする請求項１記載のＩＤカード作成・管理システム。
【請求項３】
　光電的に撮影して得られた被撮影者の顔画像情報と前記被撮影者のＩＤ番号とを対とするデータを作成し、前記被撮影者の本人情報を入力し、
　ＩＤカード作成モードの場合、前記ＩＤ番号で対応付けられる前記顔画像情報と本人情報とに基づいてＩＤカードの作成を指示するとともに、前記ＩＤ番号で対応付けられる前記顔画像情報のファイリングを指示し、
　ＩＤカード非作成モードの場合、前記ＩＤ番号で対応付けられる前記顔画像情報のファイリングを指示することを特徴とするＩＤカード作成・管理方法。
【請求項４】
　予めファイリングされている旧顔画像情報と、新たに撮影された顔画像情報とを前記ＩＤ番号に基づき対応付けて比較することで、申請者が本人であるかどうかの判定を行い、
　申請者が本人であることが確認されたときに、前記ＩＤカードの作成又は前記ＩＤ番号と前記顔画像情報とを対とするデータの更新ファイリングを行なうことを特徴とする請求項３記載のＩＤカード作成・管理方法。
【発明の詳細な説明】
【技術分野】
【０００１】
　本発明は、本人の顔画像が記録されるＩＤカードの作成・管理システム及びＩＤカード作成・管理方法に関する。
【背景技術】
【０００２】
　所謂ＩＤカード（Identification Card ）の中でも、特定資格を照明するためのＩＤカードにおいては、本人の顔画像と、本人の住所，氏名，個人識別番号等のＩＤデータ（文字情報）とを記録する形態とすることが多い。
　このようなＩＤカードの作成方法としては、銀塩写真感光材料上に文字情報と本人の顔画像とを同時に露光させて記録する方法や、本人の顔画像をビデオカメラで撮影し、このビデオカメラで得られる顔画像データと、別途入力される氏名，住所，個人識別番号等の文字データとを電気的に合成してＩＤカード用のイメージデータを作成し、このイメージデータに基づいてＩＤカードをプリンタによって作成させる方法（特許文献１参照）などがある。
【０００３】
　上記のようなＩＤカードの発行作業は、具体的には以下のようにして行われる例がある。
　例えば新規にＩＤカードを発行する場合には、申請者の住所，氏名，申請事項などが記載されると共に、申請者本人の顔写真が貼付された申請書を提出させ、この申請書の記載内容に間違いがないことを住民票等によって確認する一方、申請書に貼付された顔写真と申請書の提出者とを見比べて本人であることを確認した後、ＩＤカード作成（顔の撮影を含む）・発行を行うようにしている。
【０００４】
　また、ＩＤカードの更新手続きにおいては、新規申請時と同様な記載内容の更新申請書（申請者の住所，氏名，申請事項，顔写真貼付）を提出させ、該更新申請書と前回発行されたＩＤカードとを見比べて更新申請書の記載内容を確認し、また、顔写真と本人とを見比べて本人であることを確認するようにしている。
　更に、本人の顔画像をビデオカメラで撮影し、該顔画像の情報をＩＤ情報として電子ファイリングする場合も、前述と同様に、申請書の顔写真と本人とを見比べて本人の確認を行うようにしている。
【特許文献１】特開平０１−２０６０９８号公報
【発明の開示】
【発明が解決しようとする課題】
【０００５】
　しかしながら、上記のように顔写真と本人とを見比べて確認を行ってから、撮影，ＩＤカード作成，発行を行う作業には、以下のような問題があった。
　即ち、作業者が、申請者毎に顔写真と本人とを見比べて確認することは、作業効率を低下させることになり、また、申請書に貼付される顔写真は小さく然も不鮮明であることが多いため、顔写真と本人とを見比べても容易に判断できないこともあり、一層効率を悪化させることになる。
【０００６】
　このため、上記のような本人の確認作業がおろそかにならざるを得ないのが実情であった。
　従って、例えば一度発行されたＩＤカードについて紛失届けを出し、別人が本人であると偽ってＩＤカードの再発行を受けて、同一人名義で顔写真だけが異なる２種類のＩＤカードが発行される可能性があった。
【０００７】
　本発明は上記問題点に鑑みなされたものであり、ＩＤカードの不正発行を防止しつつ、効率良く処理することができるＩＤカード作成・管理システム及びＩＤカード作成・管理方法を提供することを目的とする。
【課題を解決するための手段】
【０００８】
　そのため本発明に係るＩＤカード作成・管理システム及びＩＤカード作成・管理方法では、
　光電的に撮影して得られた被撮影者の顔画像情報と前記被撮影者のＩＤ番号とを対とするデータを作成し、前記被撮影者の本人情報を入力し、
　ＩＤカード作成モードの場合、前記ＩＤ番号で対応付けられる前記顔画像情報と前記本人情報とに基づいてＩＤカードの作成を指示するとともに、前記ＩＤ番号で対応付けられる前記顔画像情報のファイリングを指示し、
　ＩＤカード非作成モードの場合、前記ＩＤ番号で対応付けられる前記顔画像情報のファイリングを指示する構成とした。
【０００９】
　かかる構成によると、ＩＤカードの作成モード及び非作成モードの双方で、新たに撮影された顔画像情報がＩＤ番号に対応付けられてファイリングされるので、ファイリングされている顔画像情報に基づいて本人確認を行なうことが可能となる。
　更に、本発明では、予めファイリングされている旧顔画像情報と、新たに撮影された顔画像情報とを前記ＩＤ番号に基づき対応付けて比較することで、申請者が本人であるかどうかの判定を行い、申請者が本人であることが確認されたときに、前記ＩＤカードの作成又は前記ＩＤ番号と前記顔画像情報とを対とするデータの更新ファイリングを行なう構成とした。
【００１０】
　かかる構成によると、ＩＤ番号で対応付けられる旧顔画像情報と新たな顔画像情報とを比較して本人確認を行い、本人であると確認された場合にのみ、ＩＤカードの作成又は顔画像情報の更新ファイリングを行なうので、不正にＩＤカードが作成されることが回避され、また、本人以外の顔画像情報がファイリングされることを回避できる。
【発明を実施するための最良の形態】
【００１１】
　以下に本発明の実施例を説明する。
　図１は本発明にかかるＩＤカード作成・管理システムの実施例の基本システムを示すブロック図である。
　この図１において、顔画像撮影手段１は、ビデオカメラ等の被撮影者の顔画像を光電変換して撮影できるものである。
【００１２】
　ここで、前記顔画像撮影手段１を、本出願人が先に特願平４−１７７１５６号で提案したオートフレーミング機能を備えたものとすれば、撮影作業の無人化も可能となる。
　前記オートフレーミング機能とは、撮影された画像内における被写体の位置（画面上端から被写体の頭部までの距離，被写体の中心位置など）を検知し、該検知結果に基づいて画面内の所定位置に被写体が位置するようにカメラの向きを変えるか、又は、広範囲に撮影された画像から被写体が所定位置となる画像を切出して、画面内の一定位置に被写体が位置する画像データを得る機能である。
【００１３】
　また、顔画像の信号は、後述する画像処理のためにディジタル信号であることが好ましく、顔画像撮影手段１がアナログ画像信号を出力する構成である場合には、別途Ａ／Ｄ変換器を設け、顔画像撮影手段１から出力されるアナログの画像信号を前記Ａ／Ｄ変換器でディジタル信号に変換させるようにすると良い。
　本人情報入力手段２は、前記顔画像撮影手段１により撮影された顔画像に基づいて顔写真入りのＩＤカードを作成する場合に、本人の住所，氏名，所属，資格内容などのＩＤカードに記録する各種文字情報を入力するための手段である。
【００１４】
　この本人情報入力手段２は、オペレータが直接操作して前記文字情報を入力するキーボード，タッチパネル等のマン・マシン・インターフェースで構成させることが一般的であるが、ＩＤカード発行の申請書（新規申請又は更新申請）において前記文字情報が記載されている部分をイメージデータとして読取るイメージスキャナや、予め前記文字情報をコード化して記憶した記憶媒体から個人識別番号（以下、ＩＤ番号と略す。）を検索情報として必要文字情報を呼び出す装置（ＩＤ情報読み出し手段）で構成させることができる。
【００１５】
　但し、上記本人情報入力手段２は、ＩＤカードを作成する場合に必要であり、本人のものであると確認された顔画像データのみを必要とする場合には省略できる。
　また、ＩＤ番号入力手段３（検索情報入力手段）は、前記顔画像撮影手段１で撮影される被撮影者に対応するＩＤ番号を入力する手段であり、前記文字情報の場合と同様に、キーボード等によってオペレータ（又は被撮影者）が直接入力する構成としたり、ＩＤカード作成の申請書に文字として記録されたＩＤ番号をイメージとして読み取った後に、文字認識技術を用いてＩＤ番号をコード化したり、また、申請書にＩＤ番号がバーコードとして記録される場合にはバーコードリーダーで読み取って入力させることができる。
【００１６】
　申請書からＩＤ番号を読み取る構成とすれば、例えば申請者が顔画像撮影手段１による撮影を受けるときに読取り装置に申請書をセットすることにすれば、ＩＤ番号の入力ミスや撮影の順番に対してＩＤ番号の入力順がずれてしまうことなども防止でき、自動化に適している。
　前記顔画像撮影手段１，本人情報入力手段２，ＩＤ番号入力手段３で得られた顔画像データ，文字情報，ＩＤ番号は、画像処理手段４に送られる。
【００１７】
　前記画像処理手段４では、後述するようにして、入力された顔画像データがＩＤ番号に対応する顔画像であるか否か、換言すれば、被撮影者が本人であるか否かを判定し、本人であることを確認した場合にのみ、前記顔画像データ，文字情報，ＩＤ番号をＩＤカード作成手段５に出力する。
　そして、前記ＩＤカード作成手段では前記入力された各種情報に基づいて顔写真入りのＩＤカードを作成する。
【００１８】
　また、ＩＤカードの作成を必要とせず、本人であると確認された顔画像のデータをファイリングさせる場合、画像処理手段４に対しては撮影された顔画像のデータとＩＤ番号とが入力され、本人の確認が行われた場合には、前記ＩＤ番号と顔画像データとを対にしてファイリングシステム６（顔画像情報記憶手段）に記憶させる（顔画像データ作成手段）。
【００１９】
　尚、前記ＩＤカード作成手段５によるＩＤカードの作成と並行して前記ファイリングシステム６に顔画像データを記憶させる構成としても良い。
　上記画像処理手段４における本人確認のために、識別情報記憶手段７（顔画像情報記憶手段）が設けられている。
　該識別情報記憶手段７には、ＩＤ番号を検索情報として顔画像の識別情報が記憶され、前記画像処理手段４では、入力された顔画像データから識別情報を抽出する一方、入力されたＩＤ番号に基づいて前記識別情報記憶手段７から対応する識別情報を呼出し、前記両識別情報の一致・不一致を判定することで、撮影された顔画像がＩＤ番号に対応する本人のものであるか否かを検出する。
【００２０】
　前記ＩＤカード作成手段５は、例えば前記顔画像データ，文字情報，ＩＤ番号をＩＤカードの所期フォーマットに従って編集処理して、作成するＩＤカードのイメージデータを作成し、該イメージデータをプリンタに出力してＩＤカードを作成するものである。
　また、前記ファイリングシステム６は、ハードティスクや光ディスクなどを記憶媒体とするものであり、本システムに付設されたものであっても良いが、例えばホストコンピュータに組み込まれたものであっても良い。
【００２１】
　次に図２に従って、前記画像処理手段４の構成及び画像処理手段４における本人確認の様子を説明する。
　図２に示すように、前記画像処理手段４は、識別情報抽出手段11，識別情報比較手段12（顔画像比較手段），一時記憶手段13を含んで構成される。
　前記識別情報抽出手段11は、顔画像撮影手段１から出力された顔画像データから顔画像の特徴を示す識別情報を抽出し、該抽出した識別情報をＩＤ番号と共に識別情報比較手段12に出力する。
【００２２】
　識別情報比較手段12は、入力されたＩＤ番号に対応する識別情報を前記識別情報記憶手段７から検索して求め、該記憶手段７から検索して求めた識別情報と、実際の撮影画像から抽出した識別情報とを比較する。
　ここで、前記識別情報記憶手段７には、前記ＩＤ番号に対応する本人の顔画像の特徴を示す識別情報が予め記憶されており、被撮影者がＩＤ番号に対応する本人である場合には、撮影された顔画像から抽出した識別情報（図２に示す新識別情報）と、記憶手段７からＩＤ番号に基づいて検索して求めた識別情報（図２に示す旧識別情報）とは一致するはずである。
【００２３】
　従って、前記比較の結果、顔の特徴が異なり両識別情報が不一致であると判定される場合には、ＩＤ番号に対応する本人とは異なる人物が被撮影者となっていることになり、この場合には、前記比較手段12は被撮影者が別人であることを示す不一致信号を発する。
　一方、顔の特徴が一致し両識別情報が一致する場合には、正しく本人が被撮影者となっていることになるから、この場合には、前記比較手段12は本人確認が行われたことを示す一致信号を発する。
【００２４】
　一時記憶手段13は、入力された前記顔画像データ，文字情報，ＩＤ番号を、前記識別情報比較手段12から判定結果（一致信号又は不一致信号）が出力されるまで一時的に記憶するものである。
　そして、前記比較手段12から一致信号が出力されたときには、本人確認がなされたことになるから、記憶している顔画像データ，文字情報，ＩＤ番号をＩＤカード作成手段５に出力し、正しく本人が撮影された顔画像データに基づいてＩＤカードを作成させる。
【００２５】
　一方、前記比較手段12から不一致信号が出力されたときには、今回の撮影で得た顔画像は本人のものではないから、かかる顔画像データに基づいて顔写真付きのＩＤカードを作成すべきではなく、記憶している顔画像データ，文字情報，ＩＤ番号を前記ＩＤカード作成手段５に出力することを停止し、本人のものではない顔写真が入ったＩＤカードが作成されてしまうことを防止する。
【００２６】
　従って、前記一時記憶手段13は、本実施例において、顔画像データ出力制御手段としての機能を備えている。
　また、前記一時記憶手段13は、上記ＩＤカード作成手段５に対する出力制御と同様にして、ファイリングシステム６に対して本人確認がなされたときにのみ顔画像データを出力し、本人のものではない顔画像データがストックされることを回避する。
【００２７】
　ここで、上記のようにして顔画像の本人確認を行う本実施例のシステムにおける処理の流れを図３及び図４のフローチャートに従って説明する。
　図３のフローチャートは、ＩＤカードの作成を新規に申請した場合の処理を示し、まず、申請者の顔画像を顔画像撮影手段１で撮影し（Ｓ１）、該撮影結果及びその他のＩＤ情報を一時記憶手段13に記憶させる（Ｓ２）。
【００２８】
　そして、該一時記憶手段13の記憶内容に基づいてＩＤカード作成手段５でＩＤカードを作成させる（Ｓ３）。
　ＩＤカードを作成しない場合には、又は、ＩＤカードの作成に並行して顔画像データを記憶させる場合には、前記顔画像データをＩＤ番号と共に、ファイリングシステム６に記憶させる。
【００２９】
　一方、前記撮影で得た顔画像データから顔の特徴を示す識別情報を抽出し（Ｓ４）、該抽出された識別情報を、前記ＩＤカード新規発行時に付与された個人識別番号と共に識別情報記憶手段７に記憶させる（Ｓ４）。
　即ち、新規申請時には、ＩＤ番号と、該ＩＤ番号に対応する顔画像とを特定させる作業を行うものであり、前記Ｓ４の機能が、新規登録手段に相当することになる。
【００３０】
　そして、更新申請時には、ＩＤ番号の情報に基づいて記憶されている本人の顔画像の特徴（識別情報）を呼出し、更新申請をした者の顔画像の特徴と、前記ＩＤ番号に対応する顔の特徴とを比較することで、更新申請者が本人であるか否かを判別し、ＩＤカードの不正取得を防止する。
　前記更新申請時の処理を、図４のフローチャートに示してある。
【００３１】
　更新申請時にも新規申請時と同様に、申請者の顔画像を撮影し（Ｓ11）、該撮影で得た顔画像データを一時的に記憶させるが（Ｓ12）、かかる記憶データを直ちにＩＤカード作成手段５に出力せず、以下の本人確認を行わせる。
　まず、今回撮影された顔画像データから識別情報(2) を抽出し（Ｓ13）、該抽出データを一旦記憶手段７にＩＤ番号と共に記憶させる（Ｓ14）。
【００３２】
　一方、予め記憶手段７に記憶されているＩＤ番号に対応する識別情報(1) を呼出し（Ｓ15）、今回の撮影で得た識別情報（更新申請者の顔の特徴）と、本人の顔の特徴を示すデータとして記憶手段７に予め記憶されている識別情報とを比較する（Ｓ16）。
　ここで、前記識別情報が一致しない場合には、更新申請者が本人でないことになり、この場合、前記撮影で得た顔画像データに基づいてＩＤカードを作成させると、本人ではない別人の顔写真が入ったＩＤカードが不正に作成・発行されることになってしまうので、不正行為があるものと判断し、ＩＤカードの作成を行わない（Ｓ17）。
【００３３】
　また、上記不正行為が発覚した場合には、ＩＤカードの作成を停止させると共に、警告を発するようにしても良い。
　更に、前記記憶手段７に記憶させた今回撮影の顔画像データの識別情報は、ＩＤ番号に正しく対応するものではないから、前記識別情報は消去させると良い。
　一方、前記識別情報の比較によって更新申請者が正しく本人であると判定されたときには、通常にＩＤカードの作成を実行させる（Ｓ18）。
【００３４】
　また、この場合、前記記憶手段７に記憶させた今回撮影の顔画像データの識別情報は、本人のものであり、然も、顔の特徴を示す最新データであるから、それまでに同じＩＤ番号に対応して記憶されていた識別情報を消去して（Ｓ19）、次回の更新申請時には、今回の撮影で得た識別情報に基づいて本人確認させるようにする。
　かかる機能が、顔画像更新手段に相当し、上記のように更新時に新たに撮影された本人の顔画像の特徴を記憶させれば、本人の特徴が年月と共に変化しても識別精度を確保できることになる。
【００３５】
　顔画像データを前記ファイリングシステム６に記憶させる構成の場合には、本人であることが確認されたときにのみ、顔画像データの記憶を行わせる。
　このように本実施例によると、顔画像の撮影を行うときに、例えば申請書に貼付された顔写真と被撮影者とを見比べて本人であるか否かを確認する必要がなくなり、本人確認作業の自動化によって撮影処理の効率を向上させることができると共に、別人に対して不正にＩＤカードが発行されてしまうことを安定的に回避できるようになる。
【００３６】
　尚、前記識別情報の消去は、呼出しを行わせないという意味合いであり、物理的にデータを消去する必要は必ずしもない。
　また、上記では、本人であると確認された顔画像の識別情報を逐次更新して記憶させる構成としたが、全てデータとして残すようにしても良く、例えば更新期間が短い場合には、本人に対応する複数の識別情報から本人の標準的な特徴を示す識別情報を設定し、これを本人確認に用いることも可能である。
【００３７】
　更に、上記実施例では、識別情報の検索情報をＩＤ番号としたが、ＩＤ番号に限定されるものではなく、氏名などの他の情報であっても良い。
　また、上記実施例では、本人を撮影して得た顔画像データから抽出された識別情報を、本人確認用としてＩＤ番号に対応させて記憶手段７に記憶させる構成としたが、特に、顔画像データを記憶させるファイリングシステム６を備える構成では、本人確認のときに、記憶されている本人の顔画像データを呼出し、該顔画像データから抽出した識別情報と、新たに撮影された顔画像データから抽出された識別情報とを比較させるようにしても良い。
【００３８】
　上記のようにファイリングシステム６に記憶される顔画像データをそのまま本人確認用データとして用いる場合には、図５に示すように、前記識別情報記憶手段７を省略することができ、図６に示すように、ファイリングシステム６からＩＤ番号に基づいて呼び出した顔画像データ（旧顔画像データ）を、識別情報抽出手段11に出力させ、前記旧顔画像データから本人確認用の識別情報を抽出させるようにする。
【００３９】
　そして、新たに本人のものであると確認された顔画像データを、それまでにファイリングシステム６に記憶されていた顔画像データに代わる最新値として記憶させる構成とする。
　ところで、前記識別情報の抽出及び該識別情報の比較に基づく本人確認は、公知の種々の顔画像識別法を用いることが可能であるが、例えば入力画像からエッジ画像を生成し、輪郭テンプレートを用いて目，口などの位置・形状を求め、これにより目の両端，目頭など個人性を表すと思われる特徴点を自動抽出し、得られた特徴点を基に個人識別を行う手法（画像電子学会研究会予稿 92-01-05 「輪郭テンプレート法による顔画像の個人識別」角 義恭，中川 雅通，登 一生，前原 文雄 松下電器電子機器基礎研究所 参照）を用いることができる。
【００４０】
　前記個人識別の手法は、具体的には、図７のフローチャートに示すような流れに沿って行われる。
　まず、入力画像（Ｓ21）に対して輝度変換処理を施して（Ｓ22）、濃淡画像、更には、エッジ画像を生成する（Ｓ23）。
　次いで、前記エッジ画像に対し輪郭テンプレートをマッチングさせて、顔の各部品の候補領域を導出し、輪郭テンプレートをエッジ部分の強度に合わせて変形する（Ｓ24）。
【００４１】
　そして、上記処理で得られた輪郭テンプレートから顔の特徴点を導出する（Ｓ25）。
　前記特徴点が前記識別情報に相当することになる。
　ここで、個人識別の前処理として、顔を円筒モデルで近似して、顔の左右方向の回転を補正する（Ｓ26）。
　次に、前記得られた特徴点データに対し、拡大縮小処理を行いながら（Ｓ27）、標準パターン（上記実施例で記憶手段７に記憶される識別情報）との距離を算出する（Ｓ28）。
【００４２】
　そして、全ての標準パターンとのマッチングを行い、距離最小の画像（標準パターン）を識別結果として出力する（Ｓ29）。
　上記では、複数人の標準パターン（識別情報）を記憶しておいて、識別対象である入力画像から抽出した特徴点が前記複数の標準パターンのどれに最も近いかを判定させるから、多くの処理時間を必要とすることになる。
【００４３】
　しかしながら、上記実施例では、前記標準パターンの中から該当するはずであるパターン（本人の特徴）のみをＩＤ番号で呼出して識別させるから、充分に短い処理時間で識別させることが可能である。
　また、上記のように本来一致するはずの標準パターンを呼び出して比較させるから、一致度の判定基準を高く設定して、他人の顔画像を撮影したときの識別率を大幅に向上させることが可能である。
【００４４】
　尚、上記実施例では、ＩＤカード作成手段５が、ＩＤカード用のイメージデータを画像処理で作成し、該イメージデータに基づいてプリンタでＩＤカードを作成するシステムであったが、例えば銀塩写真感光材料上に文字情報と本人の顔画像とを同時に露光させて記録してＩＤカードを作成するシステムであっても良く、この場合は、前記露光装置の部分に前記顔画像撮影手段１を付設させ、上記実施例のシステムで本人が確認されたことを撮影者に知らせるようにし、撮影者が本人確認の作業から解放され撮影のみに集中できるようにすることができる。
【００４５】
　また、予め記憶させておいた本人の顔画像データから識別情報を抽出し、これと新規に撮影された顔画像データから抽出した識別情報とを比較させて、本人確認を行わせる場合には、不一致の識別結果が出たときや識別不能の場合に、前記記憶されている本人の顔画像と、新たに撮影した顔画像とを並べて表示装置に表示させ、かかる表示に基づいて作業者に目視で確認させることができる（顔画像表示手段）。
【図面の簡単な説明】
【００４６】
【図１】本発明にかかるＩＤカード作成・管理システムの実施例の基本構成を示すブロック図。
【図２】同上実施例で本人確認を行う構成を示すブロック図。
【図３】同上実施例で新規申請時の処理を示すフローチャート。
【図４】同上実施例で更新申請時の処理を示すフローチャート。
【図５】識別情報の記憶構成を簡略した第２実施例を示すブロック図。
【図６】同上第２実施例で本人確認を行う構成を示すブロック図。
【図７】輪郭テンプレート法による個人識別を説明するためのフローチャート。
【符号の説明】
【００４７】
１…顔画像撮影手段
２…本人情報入力手段
３…ＩＤ番号入力手段
４…画像処理手段
５…ＩＤカード作成手段
６…ファイリングシステム
７…識別情報記憶手段
11…識別情報抽出手段
12…識別情報比較手段
13…一時記憶手段
【図１】
2004142470.tif 000003
【図２】
2004142470.tif 000004
【図３】
2004142470.tif 000005
【図４】
2004142470.tif 000006
【図５】
2004142470.tif 000007
【図６】
2004142470.tif 000008
【図７】
2004142470.tif 000009